(57)【要約】  本発明は、シンク及びシンク設備を含む構成に関する。この設備は、シンクの手洗鉢の上に突出するように構成された吐出口を有し、この吐出口は、吐出口を通じて上水道に接続するように構成された水ノズルを有する。この設備は、ユーザの手の上にエアナイフを放出するための、空気源に接続された細長いエアナイフ放出口も組み込む。エアナイフ放出口は、エアナイフがシンクの手洗鉢内に向けて下向きに方向付けられるように下向きに傾斜する。【選択図】なし
2015523129.tif 000002
【特許請求の範囲】
【請求項１】
シンク及びシンク設備を含む構成であって、前記設備は、前記シンクの手洗鉢の上に突出するように構成された吐出口を含み、該吐出口は、該吐出口を通じて上水道に接続するように構成された水ノズルを有し、前記設備は、ユーザの手の上にエアナイフを放出するための、空気源に接続された細長いエアナイフ放出口をさらに含み、該エアナイフ放出口は、前記エアナイフが前記シンクの前記手洗鉢内に向けて下向きに方向付けられるように下向きに傾斜する、
ことを特徴とする構成。
【請求項２】
前記エアナイフ放出口は、前記設備の下側に設けられる、
ことを特徴とする請求項１に記載の構成。
【請求項３】
前記吐出口の前記下側に、該吐出口の長さに沿って間隔を空けた２つのエアナイフ放出口が設けられる、
ことを特徴とする請求項１又は請求項２に記載の構成。
【請求項４】
前記水ノズルは、前記２つのエアナイフ放出口の中間に位置する、
ことを特徴とする請求項３に記載の構成。
【請求項５】
各エアナイフ放出口は、前記吐出口内を延びる給気ダクトに接続された、前記吐出口から横方向に延びる分岐ダクト上に設けられる、
ことを特徴とする請求項４に記載の構成。
【請求項６】
前記空気源は、前記エアナイフ放出口を通じて少なくとも８０ｍ／ｓの流出空気速度で空気流を駆動するように構成される、
ことを特徴とする請求項１から請求項５のいずれかに記載の構成。
【請求項７】
各エアナイフ放出口は、細長い放出アパーチャ又は細長い一筋の放出アパーチャを含む、
ことを特徴とする請求項１から請求項６のいずれかに記載の構成。
【請求項８】
各エアナイフは、１つの細長い空気スロット又は複数の細長い空気スロットを含む、
ことを特徴とする請求項７に記載の構成。
【請求項９】
前記（単複の）スロットの幅は２ｍｍ未満である、
ことを特徴とする請求項８に記載の構成。
【請求項１０】
前記細長いエアナイフ放出口の長さは、少なくとも８０ｍｍである、
ことを特徴とする請求項１から請求項９のいずれかに記載の構成。
【請求項１１】
前記エアナイフ放出口は、前記設備上の固定位置に配置される、
ことを特徴とする請求項１に記載の構成。
【発明の詳細な説明】
【技術分野】
【０００１】
本発明は、一般に手乾燥の分野に関し、具体的には、エアナイフを用いて手を乾燥させる構成に関する。
【背景技術】
【０００２】
商業用トイレでは、洗浄のための１又はそれ以上のシンク又は手洗器と、その後にユーザが自分の手を乾燥させるために使用することができる１又はそれ以上の別個の壁取り付け式の手乾燥機を設けることが一般的である。
【０００３】
市場には、「温風式」手乾燥機、「高速」手乾燥機及び「エアナイフ式」手乾燥機という３つの異なるタイプの手乾燥機がある。
【０００４】
温風式手乾燥機は、非常によく知られている。これらの手乾燥機は、空気を加熱して手の表面の蒸発乾燥作用を促すことに依拠する、常に低流量、低速の機械である。例としては、Ｗｏｒｌｄ  Ｄｒｙｅｒ社によって製造販売されているＭｏｄｅｌ  Ａシリーズの手乾燥機が挙げられる。典型的には、単一のノズルを通じて加熱空気流が放出され、乾燥作用は「手を交互に動かす」作用であり、ユーザは、蒸発乾燥効果を促すためにノズルの下で手を擦り合わせる必要がある。
【０００５】
高速手乾燥機は、名前が示す通り高速空気流（＞８０ｍ／ｓ）を用いて手の表面に運動量乾燥効果をもたらす。例としては、Ｅｘｃｅｌ  Ｄｒｙｅｒ社によって製造販売されているＸｌｅｒａｔｏｒ（登録商標）手乾燥機が挙げられる。この場合も、典型的には単一の比較的大型のノズルを通じて空気流が放出され、使用モードは温風式乾燥機の「手を交互に動かす」作用に若干類似しており、ノズルの下に両手を保持し、又はカップの形にして乾燥させる。しかしながら、手の表面上の大半の水分は、蒸発する代わりに高運動量の空気流によって手から追い出され、又は吹き飛ばされ、蒸発による水分除去の割合はほんのわずかである。空気流はほとんど加熱されない傾向にあるが、場合によってはモータからの廃熱を用いてある程度空気流を加熱することもできる。
【０００６】
第３の一般的なタイプの手乾燥機はエアナイフ式手乾燥機であり、その例としては、Ｄｙｓｏｎ（ダイソン）（英国）社製のＤｙｓｏｎ  Ａｉｒｂｌａｄｅシリーズの手乾燥機、及び三菱電機製のジェットタオル手乾燥機が挙げられる。
【０００７】
これらの手乾燥機は、移動する空気のシート又はカーテンであるエアナイフを用いてユーザの手から水分を除去する。操作モードは、製品の表面からデブリ又は液体を除去するための、業界内のこれまでのエアナイフの使用に類似しており（例えば、欧州特許第２３９４１２３号を参照：エアナイフを用いてガラスシートからデブリを除去することが記載されている）、エアナイフが手の表面を横切って移動し、この移動時に手の表面から水分を一掃し又はこすり取る。
【０００８】
ダイソンエアブレード及び三菱ジェットタオルでは、いずれも２つの対向する固定されたエアナイフをユーザの手の片側に１つずつ使用している。これらのエアナイフ間に手を挿入した後に、手とエアナイフの間に必要な相対運動をもたらすようにゆっくりと引き抜く。
【０００９】
図１に示すダイソンの構成では、各々が幅１ｍｍ未満の狭い連続スロット（図１では後部スロットしか見えない）を通じてエアナイフが放出される。図２に示す三菱の構成では、対向する一列の個々の放出アパーチャ（図２では後列ｂしか見えない）を通じてエアナイフが放出され、ここで個々のジェットが組み合わさって放出アパーチャの下流にエアナイフを形成する。いずれの場合にも、エアナイフは、手の表面全体に効率的な拭き取り作用をもたらすように高速（＞８０ｍ／ｓ）で放出される。
【先行技術文献】
【特許文献】
【００１０】
【特許文献１】欧州特許第２３９４１２３号明細書
【発明の概要】
【発明が解決しようとする課題】
【００１１】
本発明は、エアナイフを用いてユーザの手を乾燥させる構成に関する。
【課題を解決するための手段】
【００１２】
本発明によればシンク及びシンク設備を含む構成が提供され、この設備は、シンクの手洗鉢の上に突出するように構成された吐出口を含み、この吐出口は、吐出口を通じて上水道に接続するように構成された水ノズルを有し、設備は、ユーザの手の上にエアナイフを放出して手を乾燥させるためのエアナイフ放出口をさらに含み、このエアナイフ放出口は、エアナイフがシンクの手洗鉢内に向けて下向きに方向付けられるように下向きに傾斜する。
【００１３】
エアナイフ式乾燥機で確認される問題の１つは、廃水の処理管理についての問題である。エアナイフ式乾燥メカニズムの性質上、水分除去は蒸発によるものでなく、代わりに比較的高い運動量の空気流によって手から水分を追い出すものであるため、このことはエアナイフ式乾燥機にとって特に問題である。上述した従来のエアナイフ式乾燥機の構成では、手から除去された廃水を雫受けに集めることができるが、この雫受けは定期的に空にしなければならず、さもなければ廃水が全く集められず、乾燥機の表面又はその周囲から単純に蒸発するしかなくなる。どちらの機構も特に衛生的ではない。
【００１４】
本発明は、シンク用の設備上にエアナイフ式乾燥機を組み込んで、手から追い出された水がシンクの手洗鉢の標準的な排水孔を通じて単純に本管に流出できるようにすることにより、既存の本管排水システムを有利に利用して廃水をより効果的に管理するものである。
【００１５】
エアナイフ放出口は、シンクの手洗鉢の方を向くように下向きに傾斜する。このことは、水滴をシンクの手洗鉢内に向けるのに有利に役立つ。
【００１６】
各エアナイフ放出口は、細長い放出アパーチャ又は細長い一筋の放出アパーチャを含むことができる。例えば、各エアナイフ放出口は、１つの細長い空気スロット又は複数の細長い空気スロットの形をとることができる。或いは、細長い一筋の丸い空気孔を使用することもできる。スロット、すなわち空気孔は、層状の十分に定められたエアナイフを最小限のウインドシアで提供するように、２ｍｍ未満の幅とすることができる。
【００１７】
各細長いエアナイフ放出口の長さは、８０ｍｍよりも長いことが好ましい。これにより、典型的なユーザの手の幅にわたる良好な動作距離がもたらされる。好ましい長さは、例えば国などによって異なり得る。
【００１８】
同時に片手ずつ乾燥させる目的で、又は両手を同時に乾燥させる目的で単一のエアナイフ放出口を設けることもできる。後者の場合、スロットの前に手のひらを開いて保持されたユーザの両手にわたる良好な動作距離を提供するように、放出口の長さは１５０ｍｍよりも長いことが好ましい。
【００１９】
（単複の）エアナイフ放出口は、設備の下側に設けることができるが、これは本質的特徴ではない。例えば、（単複の）エアナイフ放出口は、吐出口、又は設備の他の何らかの突出部分の下側に設けることができる。この構成は特にコンパクトである。
【００２０】
設備の下側に２つのエアナイフ放出口を設けることもできる。これらの放出口は、例えば一方の放出口を片手用として吐出口の長さに沿って離間させることができる。水ノズルは、２つの離間した空気出口の中間に設けることができる。この種の設備は、吐出口をシンクの手洗鉢の上に延ばしてシンクの側部に取り付けることもでき、この場合、２つのエアナイフ放出口間の中心に水ノズルが配置され、ユーザは、水ノズルの両側のそれぞれのエアナイフ放出口の下に従来通りに自分の手を置くことができる。各エアナイフ放出口は、ユーザの手の幅全体にわたって効果的な乾燥をもたらすように、吐出口の長さに沿って測定した直径を少なくとも８０ｍｍとすることができる。従って、ユーザは、空気ノズルの下で手のひらを伸ばして手を前後に動かし、手の裏側についてもこの動作を繰り返すことができる。
【００２１】
これとは別に、エアナイフ放出口を、吐出口又は設備の他の何らかの突出部分から横方向に延びるように構成することもできる。
【００２２】
エアナイフ放出口は、設備の外側部分を形成する側壁を有する空気ダクトを介して空気源に接続するように構成することができる。設備の外側部分は、吐出口の一部とすることも、又は例えば吐出口から横方向に延びる分岐ダクトなどの設備の一部とすることもできる。空気ダクトは円筒形とすることができるが、これも本質的特徴ではない。
【００２３】
エアナイフ放出口は、設備上の固定位置に配置されることが好ましい。このことは、一貫した乾燥性能を確実にする役に立つ。
【００２４】
以下、添付図面を参照しながら本発明の実施形態について説明する。
【図面の簡単な説明】
【００２５】
【図１】従来のエアナイフ式手乾燥機の簡略斜視図である。
【図２】従来のエアナイフ式手乾燥機の簡略斜視図である。
【図３】本発明による構成の斜視図である。
【図４】図３に示す構成の正面図である。
【図５】図３に示す構成の側断面図である。
【図６】図３の構成の、手を乾燥させる設備の使用を示す概略正面図である。
【図７】本発明による別の構成の斜視図である。
【図８】図６に対応する側面図である。
【図９】本発明による、設備をシンクの手洗鉢の側部に固定したさらに別の構成の斜視図である。
【図１０】図９に示す構成に類似する構成ではあるが、２つの別個の放出口ではなく単一の放出口を含む構成の斜視図である。
【発明を実施するための形態】
【００２６】
図３〜図５に、シンク３と組み合わせた設備１を含む構成を示す。
【００２７】
シンク３自体は従来のものである。「ベルファストタイプ」のシンクを示しているが、他のタイプのシンクを使用することもできる。シンク３は、この例ではシンク３の手洗鉢３ｂの後壁の方に位置する標準的な排水孔３ａを有する。
【００２８】
設備１は、雄ネジ付きの固定用中空スタッド７と係合して設備１を適所に締め付けるシンク３の下部のロックナット５を用いてシンク３の手洗鉢３ｂに隣接して固定される（或いは、シンクの型によっては、設備１をシンク自体ではなくシンクに隣接して固定することもできる）。
【００２９】
設備１は、シンク３の手洗鉢３ｂに隣接して位置する垂直な管状幹部９と、幹部９からシンク３の手洗鉢３ｂの上に水平に突出する吐出口１１の形の突出部分とを含む管状構造を有する。設備１は、例えば従来の圧延処理した後で共に溶接した鋼管部分などの金属で形成される。
【００３０】
吐出口１１の端部には、下向きの水ノズル１３が設けられる。要求時には、主要供給ライン（図示せず）から幹部９及び吐出口１１内を延びる給水管１５を介し、水ノズル１３を通じて洗浄用の水が供給される。
【００３１】
設備１は、洗浄位置でユーザの手を検出したことに応答して供給ラインの停止弁を自動的に開く従来のセンサ及び制御ループを用いて「ハンズフリー」操作によって給水を行うように構成される。或いは、設備を手動操作によって給水を行うように構成することもできる。
【００３２】
設備１は、エアナイフを用いてユーザの手から水分を機械的に一掃するタイプの手乾燥機を組み込む。使用時には、吐出口の左側のエアナイフ放出口１７を通じて放出される第１のエアナイフと、吐出口の右側のエアナイフ放出口１９を通じて放出される第２のエアナイフの２つのエアナイフが放出される。各エアナイフ放出口１７、１９は、幅が２ｍｍ未満の狭く細長いスロットの形をとる。
【００３３】
分岐ダクト２１は、吐出口１１及び幹部９内を延びる主要空気ダクト２３から分岐する。この空気ダクト２３は、固定用中空スタッド７を介して幹部９の内部に流体的に接続する可撓性ホース２７を介して電動式ファン２５の陽圧（出力）側に接続される（給水管１５が固定用スタッド７内で事実上給気ライン内を延びる場合、給水ラインに接続するために管１５を給気ラインの外部に配管するには十分な対策を行う必要がある）。
【００３４】
要求時には、ファン２５が、エアナイフ放出口１７、１９を通じて空気流を駆動してそれぞれのエアナイフを生成する。エアナイフ放出口１７、１９における流出空気速度は８０ｍ／ｓを超え、１５０ｍ／ｓを上回ることが好ましい。これにより、いずれの場合にも、効果的な手の乾燥のために十分に定められたエアナイフがもたらされる。
【００３５】
手乾燥機は、（上述した自動的に給水を作動させる洗浄位置とは区別可能とすべき）乾燥位置でユーザの手を検出したことに応答してファン２５のスイッチを自動的にオンにする従来のセンサ及び制御ループを用いて「ハンズフリー」操作を行うように構成される。或いは、手乾燥機を手動操作できるように構成することもできる。
【００３６】
ユーザは、手の乾燥動作を開始するために、自身の湿った左手の手のひらを開いて吐出口の左側のエアナイフ放出口１７の前に差し出し、同様に自身の湿った右手の手のひらを開いて吐出口１１の右側のエアナイフ放出口１９の前に差し出す。この結果、センサ及び制御ループがファン２５を作動させるように動作し、このファン２５が、放出アパーチャ１７、１９を通じて強制的に高圧で空気を送り出し、高運動量の空気流を前方のユーザの手の上に向ける。一度に乾燥されるのは手の片側であり、ユーザは、最初に手の甲をエアナイフ放出口に向けた状態でエアナイフ放出口の前で自分の手を上下に動かす（以下「標準通過」と呼ぶ）。この動作を図６に示す。次に、ユーザは、手を裏返した後、手のひらをエアナイフ放出口に向けた状態でエアナイフ放出口の前で自分の手を上下に動かす（以下「反転通過」と呼ぶ）。必要に応じて「標準通過」と「反転通過」を各々繰り返すこともでき、またこれらはいずれの順番で行ってもよい。
【００３７】
本発明によれば、使用時にエアナイフがシンクの手洗鉢内に向けて下向きに方向付けられるように、エアナイフ放出口が下向きに傾斜する。図５に、このエアナイフの下向き方向を点線矢印で示している。この傾斜角θは３５度である。好ましい範囲は、エアナイフが確実にシンクの手洗鉢内に向けて下向きに方向付けられるようになる２５度〜４５度である。
【００３８】
図７及び図８に別の構成を示す。この構成は、標準通過中にユーザの手の両側を同時に乾燥させるように、設備１０上に２対の対向するエアナイフ放出口（全部で４つの放出口：１７０ａ、１７０ｂ、１９０ａ、１９０ｂ）が設けられた「両面」構成であるという点で図３〜図５の構成と異なる。反転通過は不要である。
【００３９】
各放出口の対は、吐出口１１０から横方向に延びるそれぞれの分岐ダクト（全部で４つの分岐ダクト：２７０ａ、２７０ｂ、２９０ａ、２９０ｂの）の対上に設けられる。
【００４０】
設備１０は、シンク３の手洗鉢３ｂの上方の壁面に取り付けられる。設備１０の固定には、従来の壁固定具を使用することができる。
【００４１】
エアナイフ放出口１７０ａ、１７０ｂ、１９０ａ、１９０ｂの各々は、４つのエアナイフがシンクの手洗鉢内に向けて下向きに方向付けられるように傾斜する（図８を参照）。この場合、この傾斜角θは２５度である。
【００４２】
図９に、設備１００をシンク３０の後部でなくシンク３０の側部に取り付けた異なる構成を示す（設備１、１０をシンク３の後部に取り付けた上述の構成を参照）。
【００４３】
設備１００は、シンク３０の手洗鉢の上の高さに側部から突出する細長い真っ直ぐな吐出口１１００を組み込む。吐出口１１００の下側には、一方がユーザの左手を乾燥させるためのものであり、他方がユーザの右手を乾燥させるためのものである２つのエアナイフ放出口１７００、１９００が設けられる。放出口１７００、１９００は、吐出口１１００の長さに沿って離間する。各放出口１７００、１９００は、手のひらが伸びたユーザの手が出口１７００、１９００の下を前後に通過した時にユーザの手の幅に及ぶように１２０ｍｍの直径を有する。
【００４４】
エアナイフ放出口１７００、１９００は、図２に示す三菱の構成に類似する細長い一列の狭いスロット（＜２ｍｍの幅）を含む。吐出口１１００自体は、エアナイフ放出口１７００、１９００をカウンター上面３１の下方に位置するモータ駆動式ファンユニット（図示せず）の形の空気源に接続する内部空気ダクトを形成する。
【００４５】
使用時には、放出口１７００、１９００によって２つのそれぞれのエアナイフが放出される。エアナイフ放出口１７００、１９００は、本発明によるシンク３０の手洗鉢３０ｂ内に向けて下向きに方向付けられる。
【００４６】
吐出口１１００の下側の２つのエアナイフ放出口１７００、１９００の中間には、水ノズル１３０が位置する。この水ノズル１３０は、図５の給水管１５と同様の給水管を用いて、吐出口１１００の内部を通じて上水道本管に接続される。
【００４７】
要求時には、給水ラインを介して水ノズル１３０を通じて水が送出され、吐出口１１００を介してエアナイフ放出口１７００、１９００を通じて乾燥空気が送出される。設備１００は、この場合も手動動作、半自動動作又は全自動（時限）動作のいずれかを行うように構成することができる。
【００４８】
図１０に、同様の設備１０００を示しているが、この設備は、ユーザの両手に同時に及ぶように単一の「２倍距離」エアナイフ放出口３３を含む。ここでは、水ノズル１３００が、放出口３３の端部間のほぼ中間において吐出口１１００の下側から下向きに突出する。
【００４９】
説明した実施形態の各々では、手の表面に効果的な運動量乾燥効果をもたらすように、放出口の流出空気速度が８０ｍ／ｓを上回るべきである。この流出空気速度は、１５０ｍ／ｓを超えることが好ましい。１８０ｍ／ｓ前後の空気速度が特に効果的である。
【００５０】
本発明によれば、エアナイフ放出口が、スロットではなく細長い一筋の空気孔を含むこともできる。これらの孔は円形とすることができる。
【図１】
2015523129.tif 000003
【図２】
2015523129.tif 000004
【図３】
2015523129.tif 000005
【図４】
2015523129.tif 000006
【図５】
2015523129.tif 000007
【図６】
2015523129.tif 000008
【図７】
2015523129.tif 000009
【図８】
2015523129.tif 000010
【図９】
2015523129.tif 000011
【図１０】
2015523129.tif 000012
【国際調査報告】
2015523129.tif 000013
2015523129.tif 000014